(57)【要約】【課題】画像表示装置において、テスト画像を表示させるための画素駆動信号の出力波形をテストパッドを介して取り出せるようにする。【解決手段】画像表示装置の水平走査用（ソース駆動用）の画素駆動部４は、画素駆動信号を出力するソースドライバＩＣチップ３１、ソースドライバＩＣチップ３１から出力される画素駆動信号をディスプレイの画素に供給する出力ライン３２、及びテストパッド３３がフィルム３４上に設けられたチップオンフィルム組立体である。テストパッド３３−１、３３−２、３３−３、３３−４は、出力ライン３２−１、３２−４、３２−６８１、３２−６８４に設けられている。出力ライン３２−１〜３２−３は、ディスプレイの画素に接続されず、出力ライン３２−４〜３２−６８４は、ディスプレイの第１〜第６８１列目の画素列の各画素に接続される。テスト画像として、ディスプレイの最端の画素列を発光させることによる画像を表示する。【選択図】図２
2012226174.tif 000002
【特許請求の範囲】
【請求項１】
画像を表示するためのディスプレイと、
前記ディスプレイに画像を表示するための画像信号を出力する画像処理部と、
前記画像処理部から出力される画像信号による画像を前記ディスプレイに表示するために、前記画像処理部から出力される画像信号に基いて前記ディスプレイの画素を駆動する画素駆動部とを備え、
前記画素駆動部は、前記画像処理部から出力される画像信号に基いて前記ディスプレイの画素を駆動するための画素駆動信号を出力するドライバＩＣチップ、及び前記ドライバＩＣチップから出力される画素駆動信号を前記ディスプレイの画素に供給するための多数の出力ライン、がフィルム上に設けられたチップオンフィルム組立体である画像表示装置において、
前記チップオンフィルム組立体は、前記多数の出力ラインのうちの前記ディスプレイにおける画像の表示に寄与する出力ラインであって、該ディスプレイにおける画像の表示に寄与する出力ラインのうちの最端の出力ラインに、テストパッドが設けられている、ことを特徴とする画像表示装置。
【請求項２】
テスト画像用の画像信号を出力して、このテスト画像用の画像信号に基いて前記ドライバＩＣチップにより前記ディスプレイの画素を駆動させることにより、前記ディスプレイにテスト画像を表示させるテスト画像表示手段をさらに備え、
前記テスト画像は、前記ディスプレイの最端の画素列を発光させることにより表示される画像であり、
前記テスト画像用の画像信号は、前記ディスプレイの最端の画素列を発光させる画像信号であり、前記チップオンフィルム組立体の前記ディスプレイにおける画像の表示に寄与する出力ラインのうちの最端の出力ラインであって前記テストパッドが設けられている出力ラインに画素駆動信号を出力させる画像信号である、ことを特徴とする請求項１に記載の画像表示装置。
【発明の詳細な説明】
【技術分野】
【０００１】
本発明は、画像を表示する画像表示装置に関するものである。
【背景技術】
【０００２】
従来から、画像表示装置において、例えば液晶ディスプレイなど、多数の画素が縦横に配列されたディスプレイを用いて画像を表示するものがある。このような画像表示装置は、画像処理部から出力される画像信号による画像をディスプレイに表示するために、画像処理部から出力される画像信号に基いて、水平走査用（ソース駆動用）の画素駆動部及び垂直走査用（ゲート駆動用）の画素駆動部により、ディスプレイの画素を駆動するようになっている。
【０００３】
このような画像表示装置における水平走査用の画素駆動部としては、図３に示す構成のものが知られている。図３に示す水平走査用の画素駆動部７０は、画像処理部から出力される画像信号に基いてディスプレイの画素を駆動するための画素駆動信号を出力するソースドライバＩＣチップ７１、及びソースドライバＩＣチップ７１から出力される画素駆動信号をディスプレイの画素に供給するための多数の出力ライン７２、がフィルム７３上に設けられたチップオンフィルム組立体である。また、水平走査用の画素駆動部（チップオンフィルム組立体）７０は、画素駆動信号の出力波形を検査するために、検査装置の検査針を接触させるためのテストパッド７４が設けられている。
【０００４】
ソースドライバＩＣチップ７１は、６８４チャンネルの画素駆動信号を出力するようになっており、出力ライン７２として、第１〜第６８４の６８４本の出力ライン７２−１、・・・、７２−６８４が設けられている（図では、出力ライン７２−１、・・・、７２−６８４の一部のみを図示している）。テストパッド７４は、１番最初の出力ライン７２−１と１番最後の出力ライン７２−６８４に設けられている。
【０００５】
ところで、図４に示すように、ディスプレイ８０の解像度が１３６６×７６８の場合、水平走査用の画素駆動部（チップオンフィルム組立体）７０として、６８４本の出力ラインを有する６個の水平走査用の画素駆動部７０ａ、７０ｂ、７０ｃ、７０ｄ、７０ｅ、７０ｆを用いることになる。従って、この場合、画素駆動部７０ａ〜７０ｆの全ての出力ライン７２が画像の表示に寄与するわけではなく、画像の表示に寄与しないダミーの出力ラインを生じる。
【０００６】
例えば、図４に示すように、水平走査用の画素駆動部７０ａについては、第１〜第３の３本の出力ライン７２−１〜７２−３がディスプレイ８０の画素に接続されておらず、第４〜第６８４の６８１本の出力ライン７２−４〜７２−６８４がディスプレイ８０の第１〜第６８１列目の画素列（第１列目の画素列は、ディスプレイ８０の最初の画素列であって、図では左端の画素列である）の各画素に接続されているとする。また、水平走査用の画素駆動部７０ｂ〜７０ｅについては、第１〜第６８４の６８４本の出力ライン７２−１〜７２−６８４が、各々、ディスプレイ８０の第６８２〜第１３６５列目の画素列、第１３６６〜２０４９列目の画素列、第２０５０〜２７３３列目の画素列、第２７３４〜３４１７列目の画素列の各画素に接続されているとする。また、水平走査用の画素駆動部７０ｆについては、第１〜第６８１の６８１本の出力ライン７２−１〜７２−６８１がディスプレイ８０の第３４１８〜４０９８列目の画素列（４０９８列目の画素列は、ディスプレイの最後の画素列であって、図では右端の画素列である）の各画素に接続されており、第６８２〜第６８４の３本の出力ライン７２−６８１〜７２−６８４がディスプレイ８０の画素に接続されていないとする。
【０００７】
このような水平走査用の画素駆動部７０ａ〜７０ｆの接続構成においては、水平走査用の画素駆動部７０ａの第４〜第６８４の出力ライン７２−４〜７２−６８４、水平走査用の画素駆動部７０ｂ〜７０ｅの第１〜第６８４出力ライン７２−１〜７２−６８４、及び水平走査用の画素駆動部７０ｆの第１〜第６８１の出力ライン７２−１〜７２−６８１は、画像の表示に寄与する出力ラインとなる。また、水平走査用の画素駆動部７０ａの第１〜第３の出力ライン７２−１〜７２−３、及び水平走査用の画素駆動部７０ｆの第６８２〜第６８４の出力ライン７２−６８２〜７２−６８４は、画像の表示に寄与しないダミーの出力ラインとなる。
【０００８】
従って、このような水平走査用の画素駆動部７０ａ〜７０ｆの接続構成において、図５に示すように、ディスプレイ８０の１列目の画素列（左端の画素列）を発光させた画像９０を表示する場合、水平走査用の画素駆動部７０ａの第４の出力ライン７２−４に画素駆動信号を出力することになる。ディスプレイ８０の１列目の画素列（左端の画素列）は、水平走査用の画素駆動部７０ａの第４の出力ライン７２−４に対応する。また、ディスプレイ８０の４０９８列目の画素列（右端の画素列）は、水平走査用の画素駆動部７０ｆの第６８１の出力ライン７２−６８１に対応する。
【０００９】
また、このような画像表示装置では、ディスプレイ８０にテスト画像を表示させて、ディスプレイ８０に表示されるテスト画像を目視検査することが行われる。この目視検査では、テスト画像として、ＷＩＮＤＯＷ枠（外枠）画像と呼ばれる、ディスプレイ８０の最端の画素列（左端（１列目）の画素列及び右端（４０９８列目））の画素列）を発光させることによる画像を表示させるようになっている。
【００１０】
一方、液晶パネルを駆動するドライバＩＣチップを搭載したＣＯＦのベースフィルムにテストパッドを設け、このテストパッドのパターンが表示装置の外側へ露出するように、ベースフィルムに、テストパッドのパターンより小さい孔を設けた表示装置が知られている（例えば特許文献１参照）。また、液晶ディスプレイパネルの表面にテストパッドを設けた液晶ディスプレイパネルが知られている（例えば特許文献２参照）。また、ベースフィルム上に半導体チップデバイスが装着されるＣＯＦパッケージにおいて、半導体チップデバイスの端子のうち信号入力部を通じて外部に引き出されていない端子をテストするためのテストパッドを設けたＣＯＦパッケージが知られている（例えば特許文献３参照）。
【先行技術文献】
【特許文献】
【００１１】
【特許文献１】特開２００８−２４４０６９号公報
【特許文献２】特開２００５−１７５４９２号公報
【特許文献３】特開２００２−３１３８４７号公報
【発明の概要】
【発明が解決しようとする課題】
【００１２】
ところで、上述した従来の画像表示装置においては、水平走査用の画素駆動部（チップオンフィルム組立体）７０ａ〜７０ｆは、第１の出力ライン７２−１と第６８４の出力ライン７２−６８４にテストパッド７４が設けられている。また、上述した水平走査用の画素駆動部７０の接続構成において、水平走査用の画素駆動部７０ａの第１〜第３の出力ライン７２−１〜７２−３、及び水平走査用の画素駆動部７０ｆの第６８２〜第６８４の出力ライン７２−６８２〜７２−６８４は、画像の表示に寄与しないダミーの出力ラインとなっている。このため、ディスプレイ８０にテスト画像（ディスプレイ８０の最端の画素列を発光させることによる画像）を表示させても、テスト画像を表示させるための画素駆動信号の出力波形をテストパッド７４を介して取り出して確認することができない。
【００１３】
すなわち、ディスプレイ８０にテスト画像を表示させると、テスト画像を表示させるための画素駆動信号は、水平走査用の画素駆動部７０ａの第４の出力ライン７２−４、及び水平走査用の画素駆動部７０ｆの第６８１の出力ライン７２−６８１に出力される。テスト画像を表示させるための画素駆動信号は、水平走査用の画素駆動部７０ａの第４の出力ライン７２−４、及び水平走査用の画素駆動部７０ｆの第６８１の出力ライン７２−６８１を通って、ディスプレイ８０の第１列目の画素列及び第４０９８列目の画素列に供給される。つまり、テスト画像を表示させるための画素駆動信号は、テストパッド７４が設けられている第１の出力ライン７２−１及び第６８４の出力ライン７２−６８４には、流れない。その結果、ディスプレイ８０にテスト画像を表示させても、テスト画像を表示させるための画素駆動信号の出力波形をテストパッド７４を介して取り出して確認することができない。なお、上述した特許文献１乃至特許文献３に開示の内容を適用したとしても、上記の問題を解決することはできない。
【００１４】
本発明は、上記課題を解決するためになされたものであり、テスト画像を表示させるための画素駆動信号の出力波形をテストパッドを介して取り出すことができる画像表示装置を提供することを目的とする。
【課題を解決するための手段】
【００１５】
上記目的を達成するために請求項１の発明は、画像を表示するためのディスプレイと、ディスプレイに画像を表示するための画像信号を出力する画像処理部と、画像処理部から出力される画像信号による画像をディスプレイに表示するために、画像処理部から出力される画像信号に基いてディスプレイの画素を駆動する画素駆動部とを備え、画素駆動部は、画像処理部から出力される画像信号に基いてディスプレイの画素を駆動するための画素駆動信号を出力するドライバＩＣチップ、及びドライバＩＣチップから出力される画素駆動信号をディスプレイの画素に供給するための多数の出力ライン、がフィルム上に設けられたチップオンフィルム組立体である画像表示装置において、チップオンフィルム組立体は、多数の出力ラインのうちのディスプレイにおける画像の表示に寄与する出力ラインであって、該ディスプレイにおける画像の表示に寄与する出力ラインのうちの最端の出力ラインに、テストパッドが設けられているものである。
【００１６】
請求項２の発明は、テスト画像用の画像信号を出力して、このテスト画像用の画像信号に基いてドライバＩＣチップによりディスプレイの画素を駆動させることにより、ディスプレイにテスト画像を表示させるテスト画像表示手段をさらに備え、テスト画像は、ディスプレイの最端の画素列を発光させることにより表示される画像であり、テスト画像用の画像信号は、ディスプレイの最端の画素列を発光させる画像信号であり、チップオンフィルム組立体のディスプレイにおける画像の表示に寄与する出力ラインのうちの最端の出力ラインであってテストパッドが設けられている出力ラインに画素駆動信号を出力させる画像信号であるものである。
【発明の効果】
【００１７】
請求項１及び請求項２の発明によれば、テスト画像として、ディスプレイの最端の画素列を発光させることによる画像を表示させると、テスト画像を表示させるための画素駆動信号は、ディスプレイにおける画像の表示に寄与する出力ラインのうちの最端の出力ライン、すなわち、テストパッドが設けられている出力ラインに出力される。従って、ディスプレイにテスト画像を表示させたときに、テスト画像を表示させるための画素駆動信号の出力波形をテストパッドを介して取り出すことができる。
【図面の簡単な説明】
【００１８】
【図１】本発明の一実施形態に係る画像表示装置の概略構成を示す電気的ブロック構成図。
【図２】同画像表示装置の水平走査用の画素駆動部の構成を示す平面図。
【図３】従来の画像表示装置の水平走査用の画素駆動部の構成を示す平面図。
【図４】従来の画像表示装置の水平走査用の画素駆動部の接続構成を示す平面図。
【図５】従来の画像表示装置のディスプレイの最端の画素列と水平走査用の画素駆動部の出力ラインとの対応関係を示す平面図。
【発明を実施するための形態】
【００１９】
以下、本発明を具体化した実施形態による画像表示装置について図面を参照して説明する。図１は、本実施形態による画像表示装置の構成を示す。画像表示装置１は、ディスプレイ２と、画像処理部３と、画素駆動部４、５と、画像表示装置１の動作を制御する制御部６等を備える。
【００２０】
ディスプレイ２は、画像を表示するためのものであり、液晶から成る多数の画素が縦横に配列されて構成された液晶ディスプレイである。本実施形態では、ディスプレイ２は、横方向（水平方向）の解像度が１３６６であり、縦方向（垂直方向）の解像度が７６８である。すなわち、本実施形態では、ディスプレイ２は、横方向に４０９８（＝１３６６×３（Ｒ、Ｇ、Ｂ））の画素列を有し、縦方向に７６８の画素行を有しており、多数の画素が７６８行×４０９８列に配列されている。
【００２１】
ディスプレイ２の各画素は、電圧が印加されて駆動されることにより、光を透過する状態になり、また、駆動電圧の大きさに応じて、光透過率が変化する。バックライト光源（不図示）からの光がディスプレイ２の画素を透過することにより、ディスプレイ２の画素が発光して、ディスプレイ２に画像が表示される。
【００２２】
画像処理部３は、ディスプレイ２に画像を表示するための画像信号を出力する。画像処理部３は、制御部６による制御のもと、チューナ（不図示）により受信したテレビジョン信号や、光ディスクドライブ（不図示）により光ディスクから読取った記録データから画像信号を生成して、その画像信号を出力する。また、画像処理部３は、制御部６による制御のもと、テスト画像用の画像信号を生成して、そのテスト画像用の画像信号を出力する。画像処理部３から出力された画像信号は、画素駆動部４、５に供給される。
【００２３】
画素駆動部４、５は、画像処理部３から出力される画像信号による画像をディスプレイ２に表示するために、画像処理部３から出力される画像信号に基いて、ディスプレイ２の画素を駆動する。
【００２４】
画素駆動部４は、水平走査用（ソース駆動用）の画素駆動部であり、画素駆動部５は、垂直走査用（ゲート駆動用）の画素駆動部である。本実施形態では、水平走査用の画素駆動部４として、６個の水平走査用の画素駆動部４ａ、４ｂ、４ｃ、４ｄ、４ｅ、４ｆを備えており、また、垂直走査用の画素駆動部５として、３個の垂直走査用の画素駆動部５ａ、５ｂ、５ｃを備えている。
【００２５】
すなわち、画素駆動部４、５は、水平走査用の画素駆動部４ａ〜４ｆによりディスプレイ２の画素を複数の画素列毎に分担して、また、垂直走査用の画素駆動部５ａ〜５ｃによりディスプレイ２の画素を複数の画素行毎に分担して、ディスプレイ２の画素を駆動する。水平走査用の画素駆動部４ａ〜４ｆは、同じ構成である。また、垂直走査用の画素駆動部５ａ〜５ｃは、同じ構成である。
【００２６】
図２は、水平走査用の画素駆動部４ａ〜４ｆの構成を示す。水平走査用の画素駆動部４ａ〜４ｆは、各々、入力ライン（不図示）、電源ライン（不図示）、ソースドライバＩＣチップ３１、多数の出力ライン３２、及び複数のテストパッド３３がフィルム３４上に設けられたチップオンフィルム組立体である。簡単のために、入力ラインと電源ラインの図示を省略し、出力ラインについては、一部のみを図示している。
【００２７】
入力ラインは、画像処理部３から出力される画像信号をソースドライバＩＣチップ３１に入力するためのラインである。電源供給ラインは、ソースドライバＩＣチップ３１やディスプレイ２に電源を供給するためのラインである。
【００２８】
ソースドライバＩＣチップ３１は、画像処理部３から出力される画像信号に基いてディスプレイ２の画素を駆動するための画素駆動信号を出力するものである。出力ライン３２は、ソースドライバＩＣチップ３１から出力される画素駆動信号をディスプレイ２の画素に供給するためのラインである。本実施形態では、ソースドライバＩＣチップ３１は、６８４チャンネルの画素駆動信号を出力するようになっており、出力ライン３２として、第１〜第６８４の６８４本の出力ライン３２−１、・・・、３２−６８４が設けられている。
【００２９】
テストパッド３３は、画素駆動信号の出力波形を検査するために、検査装置の検査針を接触させるためのものである。テストパッド３３として、４つのテストパッド３３−１、３３−２、３３−３、３３−４が設けられている。テストパッド３３−１は、第１の出力ライン３２−１に設けられている。テストパッド３３−２は、第４の出力ライン３２−４に設けられている。テストパッド３３−３は、第６８１の出力ライン３２−６８１に設けられている。テストパッド３３−４は、第６８４の出力ライン３２−６８４に設けられている。
【００３０】
水平走査用の画素駆動部４ａは、第１〜第３の出力ライン３２−１〜３２−３がディスプレイ２の画素に接続されておらず、第４〜第６８４の出力ライン３２−４〜３２−６８４がディスプレイ２の第１〜第６８１列目の画素列（１列目の画素列は、ディスプレイ２の最初の画素列であって、図１では左端の画素列である）の各画素に接続されている。すなわち、水平走査用の画素駆動部４ａは、ディスプレイ２の第１〜第６８１列目の画素列の画素の駆動を担当する。
【００３１】
水平走査用の画素駆動部４ｂ〜４ｅは、各々、第１〜第６８４の出力ライン３２−１〜３２−６８４がディスプレイ２の第６８２〜第１３６５列目の画素列、第１３６６〜２０４９列目の画素列、第２０５０〜２７３３列目の画素列、第２７３４〜３４１７列目の画素列の各画素に接続されている。すなわち、水平走査用の画素駆動部４ｂ〜４ｅは、各々、ディスプレイ２の第６８２〜第１３６５列目の画素列、第１３６６〜２０４９列目の画素列、第２０５０〜２７３３列目の画素列、第２７３４〜３４１７列目の画素列の画素の駆動を担当する。
【００３２】
水平走査用の画素駆動部４ｆは、第１〜第６８１の出力ライン３２−１〜３２−６８１がディスプレイ２の第３４１８〜４０９８列目の画素列（４０９８列目の画素列は、ディスプレイ２の最後の画素列であって、図１では右端の画素列である）の各画素に接続されており、第６８２〜第６８４の出力ライン３２−６８２〜３２−６８４がディスプレイ２の画素に接続されていない。すなわち、水平走査用の画素駆動部４ｆは、ディスプレイ２の第３４１８〜４０９８列目の画素列の画素の駆動を担当する。
【００３３】
このような水平走査用の画素駆動部４ａ〜４ｆの接続構成において、水平走査用の画素駆動部４ａの第４の出力ライン３２−４は、ディスプレイ２の第１列目の画素列（ディスプレイ２の最初の画素列であって、図１では左端の画素列）の各画素に接続されている。すなわち、水平走査用の画素駆動部４ａの第４の出力ライン３２−４は、多数の出力ライン３２のうちのディスプレイ２における画像の表示に寄与する出力ラインであって、ディスプレイ２における画像の表示に寄与する出力ラインのうちの最端（左端）の出力ラインである。
【００３４】
つまり、水平走査用の画素駆動部４ａの第４の出力ライン３２−４に設けられているテストパッド３３−２は、多数の出力ライン３２のうちのディスプレイ２における画像の表示に寄与する出力ラインであって、ディスプレイ２における画像の表示に寄与する出力ラインのうちの最端（左端）の出力ラインに設けられている。
【００３５】
また、水平走査用の画素駆動部４ｆの第６８１の出力ライン３２−６８１は、ディスプレイ２の第４０９８列目の画素列（ディスプレイ２の最後の画素列であって、図１では右端の画素列）の各画素に接続されている。すなわち、水平走査用の画素駆動部４ｆの第６８１の出力ライン３２−６８１は、多数の出力ライン３２のうちのディスプレイ２における画像の表示に寄与する出力ラインであって、ディスプレイ２における画像の表示に寄与する出力ラインのうちの最端（右端）の出力ラインである。
【００３６】
つまり、水平走査用の画素駆動部４ｆの第６８１の出力ライン３２−６８１に設けられているテストパッド３３−３は、多数の出力ライン３２のうちのディスプレイ２における画像の表示に寄与する出力ラインであって、ディスプレイ２における画像の表示に寄与する出力ラインのうちの最端（右端）の出力ラインに設けられている。
【００３７】
なお、水平走査用の画素駆動部４ａの第１の出力ライン３２−１に設けられているテストパッド３３−１、及び水平走査用の画素駆動部４ｆの第６８４の出力ライン３２−６８４に設けられているテストパッド３３−４は、ディスプレイ２における画像の表示に寄与しない出力ライン（ダミーの出力ライン）に設けられている。
【００３８】
垂直走査用の画素駆動部５ａ〜５ｃは、各々、入力ライン、電源ライン、ゲートドライバＩＣチップ、多数の出力ラインがフィルム上に設けられたチップオンフィルム組立体である。ゲートドライバＩＣチップは、２５６チャンネルの画素駆動信号を出力するようになっており、出力ラインとして、第１〜第２５６の２５６本の出力ラインが設けられている。
【００３９】
垂直走査用の画素駆動部５ａ〜５ｃは、各々、第１〜第２５６の出力ラインがディスプレイ２の第１〜第２５６行目の画素行、第２５７〜第５１２行目の画素行、第５１３〜７６８行目の画素行の各画素に接続されている。すなわち、垂直走査用の画素駆動部５ａ〜５ｃは、各々、ディスプレイ２の第１〜第２５６行目の画素行、第２５７〜第５１２行目の画素行、第５１３〜７６８行目の画素行の画素の駆動を担当する。
【００４０】
制御部６は、検査スイッチ（不図示）の操作を受けて、画像処理部３に対して、テスト画像用の画像信号を出力する指令をする。画像処理部３は、この指令を受けて、テスト画像用の画像信号を生成して、そのテスト画像用の画像信号を出力する。これにより、このテスト画像用の画像信号に基いて、水平走査用の画素駆動部４ａ〜４ｆ及び垂直走査用の画素駆動部５ａ〜５ｃによって、ディスプレイ２の画素が駆動されて、ディスプレイ２にテスト画像が表示される。
【００４１】
すなわち、制御部６及び画像処理部３は、テスト画像用の画像信号を出力して、このテスト画像用の画像信号に基いて水平走査用の画素駆動部４ａ〜４ｆ及び垂直走査用の画素駆動部５ａ〜５ｃによりディスプレイ２の画素を駆動させることにより、ディスプレイ２にテスト画像を表示させる。制御部６及び画像処理部３によって、テスト画像表示手段が構成されている。
【００４２】
ここで、テスト画像は、ディスプレイ２の最端の画素列（第１列目の画素列（左端の画素列）と第４０９８列目の画素列（右端の画素列））を発光させることにより表示される画像である。
【００４３】
すなわち、画像処理部３の出力するテスト画像用の画像信号は、ディスプレイ２の最端の画素列を発光させる画像信号である。つまり、テスト画像用の画像信号は、水平走査用の画素駆動部４ａのディスプレイ２における画像の表示に寄与する出力ライン３２−４〜３２−６８１のうちの最端（左端）の出力ライン３２−４、及び水平走査用の画素駆動部４ｆのディスプレイ２における画像の表示に寄与する出力ライン３２−４〜３２−６８１のうちの最端（右端）の出力ライン３２−６８１に画素駆動信号を出力させる画像信号である。そして、このテスト画像用の画像信号は、水平走査用の画素駆動部４ａのテストパッド３３−２が設けられている出力ライン３２−４、及び水平走査用の画素駆動部４ｆのテストパッド３３−３が設けられている出力ライン３２−６８１に画素駆動信号を出力させる画像信号である。画像処理部３は、テスト画像用の画像信号として、このような画像信号を出力する。
【００４４】
このような構成の画像表示装置１によれば、テスト画像として、ディスプレイ２の最端の画素列を発光させることによる画像を表示させると、テスト画像を表示させるための画素駆動信号は、水平走査用の画素駆動部４ａのテストパッド３３−２が設けられている出力ライン３２−４、及び水平走査用の画素駆動部４ｆのテストパッド３３−３が設けられている出力ライン３２−６８１に出力される。従って、ディスプレイ２にテスト画像を表示させたときに、テスト画像を表示させるための画素駆動信号の出力波形を水平走査用の画素駆動部４ａのテストパッド３３−２、及び水平走査用の画素駆動部４ｆのテストパッド３３−３を介して取り出すことができる。
【００４５】
なお、本発明は、上記実施形態の構成に限られず、種々の変形が可能である。例えば、ディスプレイは、液晶ディスプレイに限られず、多数の画素が縦横に配列されて構成されたディスプレイであればよく、プラズマディスプレイや有機ＥＬディスプレイ等であってもよい。また、テストパッドは、第１の出力ライン及び第６８４の出力ラインには、設けられてなくてもよい。
【符号の説明】
【００４６】
１    画像表示装置
２    ディスプレイ
３    画像処理部（テスト画像表示手段）
４、４ａ、４ｂ、４ｃ、４ｄ、４ｅ、４ｆ    水平走査用の画素駆動部
５、５ａ、５ｂ、５ｃ  垂直走査用の画素駆動部
６    制御部（テスト画像表示手段）
３１    ソースドライバＩＣチップ
３２、３２−１、・・・、３２−６８４    出力ライン
３３、３３−１、３３−２、３３−３、３３−４    テストパッド
３４    フィルム
【図１】
2012226174.tif 000003
【図２】
2012226174.tif 000004
【図３】
2012226174.tif 000005
【図４】
2012226174.tif 000006
【図５】
2012226174.tif 000007